(57)【要約】  通信セッションごとに媒体アクセスパラメータを選択するためのシステムおよび方法が開示される。一態様では、アクセスポイントが、アクセスポイントと無線局の間の特定の通信セッションのための媒体アクセスパラメータの値を選択するように構成されたプロセッサを含む。
2016507178.tif 000002
【特許請求の範囲】
【請求項１】
無線通信のためのアクセスポイントであって、
前記アクセスポイントと複数の無線局の各々との間の個々の通信セッションごとに媒体アクセスパラメータの値を選択するように構成されたプロセッサと、
個々の通信セッションごとの前記媒体アクセスパラメータの前記選択された値を使用して前記無線局の各々と通信するように構成されたトランシーバと、
を備えるアクセスポイント。
【請求項２】
前記媒体アクセスパラメータは、クリアチャネルアセスメントパラメータまたはキャリア検知多重アクセスパラメータを備える、請求項１に記載のアクセスポイント。
【請求項３】
前記媒体アクセスパラメータは、
クリアチャネルアセスメントしきい値、
競合ウィンドウバックオフ期間のための最小の持続時間、および
送信電力レベル、
のうちの少なくとも１つを備える、請求項１に記載のアクセスポイント。
【請求項４】
前記媒体アクセスパラメータは、クリアチャネルアセスメントしきい値を備え、前記プロセッサは、
前記アクセスポイントと前記無線局の間の距離、
前記アクセスポイントと前記無線局の間の経路損失、
前記通信セッションのためのターゲットデータレート、および
前記アクセスポイントと前記無線局の間のトラフィックのタイプ、
のうちの少なくとも１つに基づいて、前記クリアチャネルアセスメントしきい値の値を選択する、請求項１に記載のアクセスポイント。
【請求項５】
前記媒体アクセスパラメータは、クリアチャネルアセスメントしきい値を備え、前記プロセッサは、前記アクセスポイントがより高い電力レベルで送信しているときに、前記しきい値のためにより低い値を選択するように構成される、請求項１に記載のアクセスポイント。
【請求項６】
前記媒体アクセスパラメータは、競合ウィンドウのための最小の持続時間を備え、前記プロセッサは、前記アクセスポイントと前記無線局の間の前記通信セッションで失敗を経験しているときに、競合ウィンドウのための前記持続時間の値を増大させるように構成される、請求項１に記載のアクセスポイント。
【請求項７】
前記アクセスポイントは、前記アクセスポイントと前記複数の無線局のうちの第１の無線局との間の第１の通信セッションのための媒体アクセスパラメータの第１の値を選択し、前記アクセスポイントと前記複数の無線局のうちの第２の無線局との間の第２の通信セッションのための前記媒体アクセスパラメータの第２の値を選択するように構成され、前記第１の値は、前記第２の値とは異なる、請求項１に記載のアクセスポイント。
【請求項８】
前記第１の値を使用して前記第１の無線局と通信し、前記第２の値を使用して前記第２の無線局と通信するようにさらに構成される、請求項７に記載のアクセスポイント。
【請求項９】
前記媒体アクセスパラメータは、クリアチャネルアセスメントしきい値を備え、前記アクセスポイントと前記第１の無線局の間の距離は、前記アクセスポイントと前記第２の無線局の間の距離よりも短く、前記クリアチャネルアセスメントしきい値の前記第１の値は、前記第２の値よりも高い、請求項７に記載のアクセスポイント。
【請求項１０】
無線通信の方法であって、
アクセスポイントにおいて、前記アクセスポイントと複数の無線局の各々との間の個々の通信セッションごとに媒体アクセスパラメータの値を選択することと、
前記アクセスポイントにおいて、個々の通信セッションごとの前記媒体アクセスパラメータの前記選択された値を使用して前記無線局の各々と通信することと、
を備える方法。
【請求項１１】
前記媒体アクセスパラメータは、クリアチャネルアセスメントパラメータまたはキャリア検知多重アクセスパラメータを備える、請求項１０に記載の方法。
【請求項１２】
前記媒体アクセスパラメータは、
クリアチャネルアセスメントしきい値、
競合ウィンドウバックオフ期間のための最小の持続時間、および
送信電力レベル、
のうちの少なくとも１つを備える、請求項１０に記載の方法。
【請求項１３】
前記媒体アクセスパラメータは、クリアチャネルアセスメントしきい値を備え、前記クリアチャネルアセスメントしきい値の値は、
前記アクセスポイントと前記無線局の間の距離、
前記アクセスポイントと前記無線局の間の経路損失、
前記通信セッションのためのターゲットデータレート、および
前記アクセスポイントと前記無線局の間のトラフィックのタイプ、
のうちの１つまたは複数に基づいて選択される、請求項１０に記載の方法。
【請求項１４】
前記媒体アクセスパラメータは、クリアチャネルアセスメントしきい値を備え、前記アクセスポイントがより高い電力レベルで送信しているときに、よりセンシティブなしきい値が選択される、請求項１０に記載の方法。
【請求項１５】
前記媒体アクセスパラメータは、競合ウィンドウのための最小の持続時間を備え、
前記アクセスポイントと前記無線局の間の前記通信セッションで失敗を経験しているときに、競合ウィンドウのための前記最小の持続時間の値を増大させることをさらに備える、
請求項１０に記載の方法。
【請求項１６】
前記媒体アクセスパラメータの前記値を前記選択することは、前記アクセスポイントと前記複数の無線局のうちの第１の無線局との間の第１の通信セッションのための前記媒体アクセスパラメータの第１の値を選択することと、前記アクセスポイントと前記複数の無線局のうちの第２の無線局との間の第２の通信セッションのための前記媒体アクセスパラメータの第２の値を選択することとをさらに備え、前記第１の値は、前記第２の値とは異なり、前記無線局と通信することは、前記第１の値を使用して前記第１の無線局と通信することと、前記第２の値を使用して前記第２の無線局と通信することとを備える、請求項１０に記載の方法。
【請求項１７】
前記無線局と前記通信することは、前記第１の値を使用して前記第１の無線局と通信することと、前記第２の値を使用して前記第２の無線局と通信することとをさらに備える、請求項１６に記載の方法。
【請求項１８】
前記媒体アクセスパラメータは、クリアチャネルアセスメントしきい値を備え、前記アクセスポイントと前記第１の無線局の間の距離は、前記アクセスポイントと前記第２の無線局の間の距離よりも短く、前記クリアチャネルアセスメントしきい値の前記第１の値は、前記第２の値よりも高い、請求項１６に記載の方法。
【請求項１９】
無線通信のためのアクセスポイントであって、
アクセスポイントと複数の無線局のうちの第１の無線局との間の第１の通信セッションに関連付けられる媒体アクセスパラメータの第１の値と、前記アクセスポイントと前記複数の無線局のうちの第２の無線局との間の第２の通信セッションのための媒体アクセスパラメータに関連付けられる第２の値とを選択するための手段と、前記第１の値は、前記第２の値とは異なる、
前記媒体アクセスパラメータの前記選択された値を使用して、前記第１および第２の無線局の各々と通信するための手段と、
を備えるアクセスポイント。
【請求項２０】
前記媒体アクセスパラメータは、
クリアチャネルアセスメントしきい値、ここにおいて、前記プロセッサは、前記アクセスポイントがより高い電力レベルで送信しているときに、前記しきい値のためにより低い値を選択するように構成される、および
競合ウィンドウのための最小の持続時間、ここにおいて、前記プロセッサは、前記アクセスポイントと前記無線局の間の前記通信セッションで失敗を経験しているときに、競合ウィンドウのための前記持続時間の値を増大させるように構成される、
のうちの１つを備える、請求項１９に記載のアクセスポイント。
【発明の詳細な説明】
【技術分野】
【０００１】
[0001]本願は、一般に無線通信に関し、より具体的には、通信セッションごとに媒体アクセスパラメータを選択するためのシステム、方法、およびデバイスに関する。
【背景技術】
【０００２】
[0002]多くのテレコミュニケーションシステムでは、通信ネットワークが、いくつかの相互作用する空間的に隔てられたデバイス間でメッセージを交換するために使用される。ネットワークは、地理的範囲に従って分類されることができ、それは、例えば、メトロポリタンエリア、ローカルエリア、またはパーソナルエリアであることができる。このようなネットワークは、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）としてそれぞれ指定されうる。ネットワークはまた、様々なネットワークノードおよびデバイスを相互接続するために使用される交換（switching）／ルーティングの技法（例えば、回線交換対パケット交換）、送信のために用いられる物理媒体のタイプ（例えば、有線対無線）、および使用される通信プロトコルのセット（例えば、インターネットプロトコルスイート、ＳＯＮＥＴ（同期型光ネットワーキング）、イーサネット（登録商標）など）に従って異なる。
【０００３】
[0003]無線ネットワークは、しばしば、ネットワーク要素がモバイルであり、したがって、動的接続性のニーズを有するとき、またはネットワークアーキテクチャが、固定式ではなく、アドホックのトポロジにおいて形成される場合に好まれる。無線ネットワークは、無線、マイクロ波、赤外線、光などの周波数帯域における電磁波を使用して、無誘導伝搬モード（unguided propagation mode）で無形物理媒体を用いる。無線ネットワークは、固定された有線ネットワークと比較して、ユーザモビリティおよび高速なフィールド展開を有利に促進する。
【０００４】
[0004]無線ネットワークにおけるデバイスは、互いの間で情報を送信／受信しうる。情報は、パケットを備えることができ、これは、いくつかの態様では、データユニットと称されうる。パケットは、ネットワークを通じてパケットをルーティングすること、パケットにおけるデータを識別すること、パケットを処理することなどに役立つオーバヘッド情報（例えば、ヘッダ情報、パケット特性など）のみならず、パケットのペイロードにおいて搬送されるであろうような、例えば、ユーザデータ、マルチメディアコンテンツなどの、データを含みうる。
【発明の概要】
【０００５】
[0005]添付の特許請求の範囲内のシステム、方法、およびデバイスの様々なインプリメンテーションは、いくつかの態様をそれぞれ有し、これらのうちのどれ１つとして、単独でここに説明される望ましい属性（attributes）を担うものではない。添付の特許請求の範囲を限定することなく、いくつかの顕著な特徴がここに説明される。この説明を考慮した後に、また、特に「詳細な説明」と題するセクションを読んだ後に、当業者であれば、どのように様々なインプリメンテーションの特徴が、媒体アクセスパラメータのチューニング（tuning）を可能にするかを理解するであろう。
【０００６】
[0006]本開示の一態様は、アクセスポイントを提供する。このアクセスポイントは、アクセスポイントと複数の無線局の各々との間の個々の通信セッションごとに媒体アクセスパラメータの値を選択するように構成されたプロセッサを含む。
【０００７】
[0007]本開示の別の態様は、無線通信の方法を提供する。この方法は、アクセスポイントにおいて、アクセスポイントと複数の無線局の各々との間の個々の通信セッションごとに媒体アクセスパラメータの値を選択することを含む。この方法は、アクセスポイントにおいて、媒体アクセスパラメータの選択された値を使用して無線局と通信することをさらに含みうる。
【０００８】
[0008]本開示の別の態様は、アクセスポイントを提供する。このアクセスポイントは、アクセスポイントと複数の無線局の各々との間の個々の通信セッションごとに媒体アクセスパラメータの値を選択するための手段と、媒体アクセスパラメータの選択された値を使用して無線局と通信するための手段とを含む。
【０００９】
[0009]本開示の別の態様は、局によって無線通信のための方法をインプリメントするように構成されたコンピュータ実行可能命令を含む非一時的な物理コンピュータ記憶装置を提供する。この方法は、アクセスポイントにおいて、アクセスポイントと複数の無線局の各々との間の個々の通信セッションごとに媒体アクセスパラメータの値を選択することを含む。この方法は、アクセスポイントにおいて、媒体アクセスパラメータの選択された値を使用して無線局と通信することをさらに含みうる。
【図面の簡単な説明】
【００１０】
【図１】図１は、本開示の態様が用いられうる無線通信システムの例を例示する。
【図２】図２は、図１の無線通信システム内で用いられうる無線デバイスの例を例示する。
【図３】図３は、無線通信を送信するために図２の無線デバイス内に含まれうるコンポーネントの例を例示する。
【図４】図４は、無線通信を送信するために図２の無線デバイス内に含まれうるコンポーネントの例を例示する。
【図５】図５は、１つのインプリメンテーションによる無線通信の方法のフローチャートである。
【図６】図６は、１つのインプリメンテーションによる２つの無線局に同時にアクセスするアクセスポイントを有する１つの例示的な例を示す。
【図７】図７は、アクセスポイントに同時にアクセスする局を有する１つの例示的な例を例示する。
【図８】図８は、アクセスポイントに同時にアクセスする局を有する別の例示的な例を例示する。
【発明を実施するための形態】
【００１１】
[0018]新規なシステム、装置、および方法の様々な態様が、添付の図面を参照して以下により十分に説明される。しかしながら、本開示の教示は、多くの異なる形態で具現化されることができ、この開示の全体にわたって提示される任意の特定の構造または機能に限定されると解釈されるべきではない。むしろ、これらの態様は、本開示が十分で完全であり、当業者に本開示の範囲を十分に伝えるように提供される。ここでの教示に基づき、当業者は、本開示の範囲が、本発明のその他任意の態様と組み合わされてインプリメントされようと、あるいは独立してインプリメントされようと、ここに開示される新規なシステム、装置、および方法の任意の態様をカバーするように意図されていることを理解すべきである。例えば、ここで説明される任意の数の態様を使用して、装置がインプリメントされ、または方法が実施されうる。加えて、本発明の範囲は、ここで説明される本発明の様々な態様に加えて、またはそれ以外の、他の構造、機能、または構造と機能を使用して実施されるこのような装置または方法をカバーするように意図される。ここで開示される任意の態様が、請求項の１つまたは複数の要素によって具現化されうることが理解されるべきである。
【００１２】
[0019]特定の態様がここで説明されるが、これらの態様の多くの変形および置換が、本開示の範囲内に含まれる。好ましい態様のいくつかの利益および利点が述べられるが、本開示の範囲は、特定の利益、使用、または目的に限定されるようには意図されない。むしろ、本開示の態様は、異なる無線技術、システム構成、ネットワーク、および送信プロトコルに広く適用可能であるように意図されており、そのうちのいくつかは、図面および好ましい態様の以下の説明において例として例示される。詳細な説明および図面は、限定ではなく、本開示の単なる例示であり、本開示の範囲は、添付の特許請求の範囲およびそれらの同等物によって定義されている。
【００１３】
[0020]無線ネットワーク技術は、無線ローカルエリアネットワーク（ＷＬＡＮ）の様々なタイプを含みうる。ＷＬＡＮは、広く使用されるネットワーキングプロトコルを用いて、近くのデバイスを共に相互接続するために使用されうる。ここで説明される様々な態様は、Ｗｉｆｉ、またはより一般的には、無線プロトコルのＩＥＥＥ ８０２．１１ファミリの任意のメンバのような、任意の通信規格に適用されうる。例えば、ここで説明される様々な態様は、サブ１ＧＨｚ帯域を使用する、ＩＥＥＥ ８０２．１１ａｈプロトコルの一部として使用されうる。
【００１４】
[0021]いくつかの態様では、サブギガヘルツ帯域における無線信号は、直交周波数分割多重化（ＯＦＤＭ）、直接シーケンススペクトル拡散（ＤＳＳＳ：direct-sequence spread spectrum）通信、ＯＦＤＭおよびＤＳＳＳ通信の組み合わせ、またはその他のスキームを使用して、８０２．１１ａｈプロトコルに従って送信されうる。８０２．１１ａｈプロトコルのインプリメンテーションは、センサ、メータリング（metering）、およびスマートグリッドネットワークのために使用されうる。有利なことに、８０２．１１ａｈプロトコルをインプリメントするある特定のデバイスの態様は、他の無線プロトコルをインプリメントするデバイスよりも少ない電力を消費し、および／または、例えば、約１キロメートル以上の、比較的長いレンジにわたって無線信号を送信するために使用されうる。
【００１５】
[0022]いくつかのインプリメンテーションでは、ＷＬＡＮは、無線ネットワークにアクセスするコンポーネントである様々なデバイスを含む。例えば、アクセスポイント（「ＡＰ」）とクライアント（局、または「ＳＴＡ」とも称される）との２つのタイプのデバイスが存在しうる。一般に、ＡＰは、ＷＬＡＮのためのハブまたは基地局として機能し（serve as）、また、ＳＴＡは、ＷＬＡＮのユーザとして機能する。例えば、ＳＴＡは、ラップトップコンピュータ、携帯情報端末（ＰＤＡ）、モバイル電話などでありうる。一例では、ＳＴＡは、インターネットまたは他のワイドエリアネットワークへの汎用的な接続性を取得するために、ＷｉＦｉ（登録商標）（例えば、８０２．１１ａｈのようなＩＥＥＥ ８０２．１１プロトコル）準拠の無線リンクを介してＡＰに接続する。いくつかのインプリメンテーションでは、ＳＴＡはまた、ＡＰとして使用されうる。
【００１６】
[0023]アクセスポイント（「ＡＰ」）はまた、ノードＢ、無線ネットワークコントローラ（「ＲＮＣ」）、ｅノードＢ、基地局コントローラ（「ＢＳＣ」）、ベーストランシーバ基地局（「ＢＴＳ」）、基地局（「ＢＳ」）、トランシーバ機能（「ＴＦ」）、無線ルータ、無線トランシーバ、または何らかの他の用語を備え、それらとしてインプリメントされ、またはそれらとして知られうる。
【００１７】
[0024]局「ＳＴＡ」はまた、アクセス端末（「ＡＴ」）、加入者局、加入者ユニット、モバイル局、遠隔局、遠隔端末、ユーザ端末、ユーザエージェント、ユーザデバイス、ユーザ機器、または何らかの他の用語を備え、それらとしてインプリメントされ、またはそれらとして知られうる。いくつかのインプリメンテーションでは、アクセス端末は、セルラ電話、コードレス電話、セッション開始プロトコル（「ＳＩＰ」）電話、無線ローカルループ（「ＷＬＬ」）局、携帯情報端末（「ＰＤＡ」）、無線接続能力を有するハンドヘルドデバイス、または無線モデムに接続された何らかの他の適切な処理デバイスを備えうる。したがって、ここで教示される１つまたは複数の態様は、電話（例えば、セルラ電話またはスマートフォン）、コンピュータ（例えば、ラップトップ）、ポータブル通信デバイス、ヘッドセット、ポータブルコンピューティングデバイス（例えば、携帯情報端末）、エンターテインメントデバイス（例えば、音楽またはビデオデバイス、または衛星ラジオ）、ゲームデバイスまたはシステム、全地球測位システムデバイス、または無線媒体を介して通信するように構成されたその他任意の適切なデバイス中に組み込まれうる。
【００１８】
[0025]上述されたように、ここで説明されるデバイスのうちのある特定のものは、例えば、８０２．１１ａｈ規格をインプリメントしうる。このようなデバイスは、ＳＴＡまたはＡＰまたは他のデバイスとして使用されるかどうかにかかわらず、スマートメータリングのために、またはスマートグリッドネットワークにおいて、使用されうる。このようなデバイスは、センサアプリケーションを提供し、またはホームオートメーション（home automation）において使用されうる。これらデバイスは、代わりにまたは加えて、例えば、パーソナルヘルスケアのために、ヘルスケアコンテキストにおいて使用されうる。これらはまた、（例えば、ホットスポットとともに使用するための）拡張されたレンジのインターネット接続性を可能にするために、またはマシンツーマシン通信をインプリメントするために、監視（surveillance）のために使用されうる。
【００１９】
[0026]局およびＡＰのような無線ノードは、８０２．１１ａｈ規格に準拠するネットワークのようなキャリア検知多重アクセス（ＣＳＭＡ：Carrier Sense Multiple Access）タイプネットワークにおいて相互作用しうる。ＣＳＭＡは、確率的（probabilistic）媒体アクセス制御（ＭＡＣ）プロトコルである。「キャリア検知」は、媒体上で送信するように試みているノードが、それ自体の送信を送るように試みる前に、キャリア波を検出するためにその受信機からのフィードバックを使用しうるという事実を説明する。「多重アクセス（Multiple Access）」は、複数のノードが共有媒体上で送受信しうるという事実を説明する。したがって、ＣＳＭＡタイプネットワークにおいて、送信ノードは媒体を検知し、媒体がビジーである（すなわち、別のノードが媒体上で送信している）場合、送信ノードはその送信を後に延期する。しかしながら、媒体がフリーであることが検知された場合には、送信ノードは、媒体上でそのデータを送信しうる。
【００２０】
[0027]クリアチャネルアセスメント（ＣＣＡ：Clear Channel Assessment）が、ノードがその上で送信するように試みる前に、媒体の状態を決定するために使用される。ＣＣＡプロシージャは、ノードの受信機がオンにされ、かつノードがパケットのようなデータユニットを現在送信中でない間に実行される。ノードは、例えば、パケットのＰＨＹプリアンブルを検出することにより、パケットの開始を検出することによって、媒体がクリアであるかどうかを検知しうる。この方法は、比較的より弱い信号を検出しうる。したがって、この方法では、低い検出しきい値が存在する。代替の方法は、無線による（on the air）何らかのエネルギーを検出することであり、これは、エネルギー検出（ＥＤ）と称されうる。この方法は、パケットの開始を検出することよりも比較的より困難であり、比較的より強い信号のみを検出しうる。したがって、この方法では、より高い検出しきい値が存在する。一般に、媒体上の別の送信の検出は、送信の受信電力の関数（function）であり、ここで、受信電力は、送信電力から経路損失を差し引いたものである。
【００２１】
[0028]ＣＳＭＡが使用頻度の高くない媒体に特に有効である一方で、媒体がそれに同時にアクセスしようと試みる多くのデバイスにより混雑した場合には、パフォーマンスの低下が起こりうる。複数の送信ノードが同時に媒体を使用するように試みた場合、同時送信の間の衝突が生じることがあり、送信されたデータは、失われるまたは破損しうる。１つのノードによる送信は、一般に、送信ノードのレンジにある、この媒体を使用する他のノードによってのみ受信される。これは、隠れノード問題として知られており、それによって、例えば、受信ノードに送信したいかつ受信ノードのレンジにある第１のノードは、受信ノードに現在送信中の第２のノードのレンジになく、したがって、第１のノードは、第２のノードが受信ノードに送信しており、それゆえに媒体を占有していることを知ることができない。このような状況では、第１のノードは、媒体がフリーであることを検知して、送信し始めることがあり得、これは、その後、受信ノードにおいて衝突およびデータ紛失を引き起こしうる。したがって、衝突回避スキームは、衝突ドメイン内のすべての送信ノードの間で、ある程度等しく（somewhat equally）媒体へのアクセスを分割するように試みることによって、ＣＳＭＡのパフォーマンスを改善するために使用される。特に、衝突回避は、媒体の性質により衝突検出とは異なり、このケースでは、無線周波数スペクトルである。
【００２２】
[0029]衝突回避（ＣＡ：collision avoidance）を利用するＣＳＭＡネットワークでは、送信したいノードは、最初に媒体を検知し、媒体がビジーである場合には、それは、ある時間期間の間、延期する（すなわち、送信しない）。延期の期間は、ランダム化されたバックオフ期間、すなわち、送信したいノードが媒体にアクセスするように試みない追加の時間期間によって後続される。バックオフ期間は、同時に媒体にアクセスするように試みる異なるノード間の競合を解決するために使用される。バックオフ期間はまた、競合ウィンドウとも称されうる。バックオフは、媒体にアクセスするように試みる各ノードが、あるレンジにおけるランダムな数を選択し、媒体にアクセスするように試みる前に、選択された数のタイムスロットの間待機し、前に異なるノードが媒体にアクセスしたかどうかをチェックすることを必要とする。スロットタイムは、別のノードが前のスロットの始まりにおいて媒体にアクセスしたかどうかを、ノードが常に決定することができるように定義される。特に、８０２．１１規格は、指数関数的バックオフアルゴリズム（exponential backoff algorithm）を使用し、ここで、ノードがスロットを選択し、別のノードと衝突するたびに、それは、指数関数的にレンジの最大数を増加する。他方では、送信したいノードが、媒体が（８０２．１１規格における分散フレーム間隔（ＤＩＦＳ：Distributed Inter Frame Space）と呼ばれる）指定された時間の間フリーであることを検知した場合には、このノードは、媒体上で送信することが可能になる。送信後、受信ノードは、受信されたデータの巡回冗長検査（ＣＲＣ）を実行し、送信ノードに肯定応答（acknowledgement）を送り返す。送信ノードによる肯定応答の受信は、いずれの衝突も起こらなかったことを送信ノードに示す。同様に、送信ノードにおいて肯定応答の受信がないことは、衝突が起こり、送信ノードがデータを再送すべきであることを示す。
【００２３】
[0030]無線プロトコルのＩＥＥＥ ８０２．１１ファミリにおいて規定されるような無線通信では、複数の局は、上記に説明されたキャリア検知多重アクセス（ＣＳＭＡ）のような媒体アクセス制御プロトロコルを使用して送信媒体を共有する。アクセスポイントは、ビデオ、オーディオおよび音声を含む異なるクラスのトラフィックを搬送する。アクセスポイントは、トラフィックタイプに基づいて、媒体アクセスパラメータに関して異なる値を割り当てる。しかしながら、アクセスポイントは、アクセスポイントと無線局との間の通信セッションごとに媒体アクセスパラメータの値をカスタマイズしない。したがって、アクセスポイントが通信セッションごとに媒体アクセスパラメータの別個の値を有することは、そうすることで、特に高密度のＷｉｆｉ配置において、望ましくない干渉を低減させ、媒体の再利用を増大させるので、有益である。
【００２４】
[0031]図１は、本開示の態様が用いられうる無線通信システム１００の例を例示する。無線通信システム１００は、例えば、８０２．１１ａｈ規格のような、無線規格に準拠して動作しうる。無線通信システム１００は、ＡＰ １０４を含むことができ、それはＳＴＡ １０６と通信する。
【００２５】
[0032]様々なプロセスおよび方法が、ＡＰ １０４とＳＴＡ １０６と間の無線通信システム１００における送信のために使用されうる。例えば、信号は、ＯＦＤＭ／ＯＦＤＭＡ技法に従って、ＡＰ １０４とＳＴＡ １０６の間で送受信されうる。この場合には、無線通信システム１００は、ＯＦＤＭ／ＯＦＤＭＡシステムと称されうる。代替として、信号は、ＣＤＭＡ技法に従って、ＡＰ １０４とＳＴＡ １０６の間で送受信されうる。この場合には、無線通信システム１００は、ＣＤＭＡシステムと称されうる。
【００２６】
[0033]ＡＰ １０４からＳＴＡ １０６のうちの１つまたは複数ヘの送信を容易にする通信リンクは、ダウンリンク（ＤＬ）１０８と称されることができ、ＳＴＡ １０６のうちの１つまたは複数からＡＰ １０４への送信を容易にする通信リンクは、アップリンク（ＵＬ）１１０と称されることができる。代替として、ダウンリンク１０８は、順方向リンクまたは順方向チャネルと称されることができ、アップリンク１１０は、逆方向リンクまたは逆方向チャネルと称されることができる。
【００２７】
[0034]ＡＰ １０４は、基地局として機能し、基本サービスエリア（ＢＳＡ）１０２において無線通信カバレッジを提供しうる。ＡＰ １０４とともに、通信のためにＡＰ １０４を使用するＡＰ １０４に関連付けられるＳＴＡ １０６は、基本サービスセット（ＢＳＳ）と称されうる。無線通信システム１００は、中央ＡＰ １０４を有していない場合があるが、むしろＳＴＡ １０６間のピアツーピアネットワークとして機能しうることに留意されたい。したがって、ここで説明されるＡＰ １０４の機能は、代替としてＳＴＡ １０６のうちの１つまたは複数によって実行されうる。
【００２８】
[0035]ＳＴＡ １０６は、タイプにおいて限定されず、様々な異なるＳＴＡを含みうる。例えば、図１に例示されるように、ＳＴＡ １０６は、ほんの数例を挙げると、セルラ電話１０６ａ、テレビジョン１０６ｂ、ラップトップ１０６ｃ、およびいくつかの（a number of）センサ１０６ｄ（例えば、気象センサまたは無線プロトコルを使用して通信することが可能なその他のセンサ）を含みうる。
【００２９】
[0036]図２は、無線通信システム１００内で用いられうる無線デバイス２０２において利用されうる様々なコンポーネントを例示する。無線デバイス２０２は、ここで説明される様々な方法をインプリメントするように構成されうるデバイスの例である。例えば、無線デバイス２０２は、ＡＰ １０４、またはＳＴＡ １０６のうちの１つを備えうる。
【００３０】
[0037]無線デバイス２０２は、無線デバイス２０２の動作を制御するプロセッサ２０４を含みうる。プロセッサ２０４は、中央処理ユニット（ＣＰＵ）とも称されうる。読み取り専用メモリ（ＲＯＭ）とランダムアクセスメモリ（ＲＡＭ）の両方を含みうるメモリ２０６は、プロセッサ２０４に命令およびデータを提供する。メモリ２０６の一部はまた、不揮発性ランダムアクセスメモリ（ＮＶＲＡＭ）を含みうる。プロセッサ２０４は、メモリ２０６内に記憶されたプログラム命令に基づいて、論理および算術演算を典型的に実行する。メモリ２０６における命令は、ここで説明される方法をインプリメントするために実行可能でありうる。
【００３１】
[0038]プロセッサ２０４は、１つまたは複数のプロセッサでインプリメントされる処理システムのコンポーネントである、またはそれを備えうる。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、ステートマシン、ゲート論理、個別ハードウェアコンポーネント、専用ハードウェア有限ステートマシン、または計算または情報の他の操作を実行しうるその他任意の適切なエンティティの任意の組み合わせでインプリメントされうる。
【００３２】
[0039]処理システムはまた、ソフトウェアを記憶するための機械可読媒体を含みうる。ソフトウェアは、ソフトウェア、ファームウェア、ミドルウェア、マイクロコード、ハードウェア記述言語、またはその他の方法で称されるかにかかわらず、任意のタイプの命令を意味するように広く解釈されるべきである。命令は、（例えば、ソースコードフォーマット、バイナリコードフォーマット、実行可能コードフォーマット、またはその他任意の適切なコードのフォーマットにおいて）コードを含みうる。これら命令は、１つまたは複数のプロセッサによって実行されたとき、処理システムに、ここで説明される様々な機能を実行させる。
【００３３】
[0040]無線デバイス２０２はまた、無線デバイス２０２と遠隔ロケーションとの間のデータの送信および受信を可能にするために、送信機２１０および受信機２１２を含みうる。さらに、送信機２１０および受信機２１２は、例えば、ＡＰを含む、遠隔ロケーションと無線デバイス２０２との間のセットアップおよび／または構成パケットまたはフレームの送信および受信を可能にするように構成されうる。送信機２１０および受信機２１２は、トランシーバ２１４に組み合わされうる。アンテナ２１６は、ハウジング２０８に取り付けられ、トランシーバ２１４に電気的に結合されうる。代替または追加として、無線デバイス２０２は、ハウジング２０８の一部として形成されるまたは内部アンテナでありうるアンテナ２１６を含みうる。無線デバイス２０２はまた、複数の送信機、複数の受信機、複数のトランシーバ、および／または複数のアンテナ（図示せず）を含みうる。
【００３４】
[0041]無線デバイス２０２はまた、トランシーバ２１４によって受信される信号のレベルを検出および定量化する試みにおいて使用されうる信号検出器２１８を含みうる。信号検出器２１８は、このような信号を、総エネルギー、シンボル当たりのサブキャリア当たりのエネルギー（energy per subcarrier per symbol）、電力スペクトル密度、および他の信号として検出しうる。無線デバイス２０２はまた、信号を処理する際に使用するためのデジタル信号プロセッサ（ＤＳＰ）２２０を含み得うる。ＤＳＰ ２２０は、送信用のデータユニットを生成するように構成されうる。いくつかの態様では、データユニットは、物理レイヤデータユニット（ＰＰＤＵ）を備えうる。いくつかの態様では、ＰＰＤＵは、パケットまたはフレームと称される。
【００３５】
[0042]無線デバイス２０２は、いくつかの態様では、ユーザインタフェース２２２をさらに備えうる。ユーザインタフェース２２２は、キーパッド、マイクロフォン、スピーカ、および／またはディスプレイを備えうる。ユーザインタフェース２２２は、無線デバイス２０２のユーザに情報を伝えるおよび／またはユーザからの入力を受信する任意の要素またはコンポーネントを含みうる。
【００３６】
[0043]無線デバイス２０２の様々なコンポーネントは、ハウジング２０８内に収容（housed）されうる。さらに、無線デバイス２０２の様々なコンポーネントは、バスシステム２２６によって共に結合されうる。バスシステム２２６は、データバスのみならず、例えば、データバスに加えて、電力バス、制御信号バス、およびステータス信号バスを含みうる。当業者であれば、無線デバイス２０２のコンポーネントは、共に結合されることができ、または何らかの他のメカニズムを使用して互いに入力を受け取るまたは提供することができることを理解するであろう。
【００３７】
[0044]いくつかの別個のコンポーネントが図２に例示されているが、当業者であれば、これらコンポーネントのうちの１つまたは複数が、組み合わされる、または共通にインプリメントされうることを理解するであろう。例えば、プロセッサ２０４は、プロセッサ２０４に関して上記に説明された機能をインプリメントするのみならず、信号検出器２１８および／またはＤＳＰ ２２０に関して上記に説明された機能をインプリメントするためにも使用されうる。さらに、図２に例示されるコンポーネントの各々は、複数の別個の要素を使用してインプリメントされうる。
【００３８】
[0045]上記に説明されたように、無線デバイス２０２は、ＡＰ １０４またはＳＴＡ １０６を備えることができ、また、通信を送信および／または受信するために使用されることができる。図３は、無線通信を送信するために無線デバイス２０２において利用されうる様々なコンポーネントを例示する。図３に例示されるコンポーネントは、例えば、ＯＦＤＭ通信を送信するために使用されうる。いくつかの態様では、図３に例示されるコンポーネントは、以下にさらに詳細に説明されるように、可能な限り低いピーク対平均電力比で、トレーニングフィールドを有するデータユニットを送信するために使用される。参照しやすいように、図３に例示されるコンポーネントを用いて構成された無線デバイス２０２は、以下では、無線デバイス２０２ａと称される。
【００３９】
[0046]無線デバイス２０２ａは、送信用のビットを変調するように構成された変調器３０２を備えうる。例えば、変調器３０２は、例えば、コンステレーションに従って、ビットを複数のシンボルにマッピングすることによって、プロセッサ２０４またはユーザインタフェース２２２から受信されたビットから複数のシンボルを決定しうる。これらビットは、ユーザデータまたは制御情報に対応しうる。いくつかの態様では、これらビットは、コードワードにおいて受信される。一態様では、変調器３０２は、ＱＡＭ（直交振幅変調）変調器、例えば、１６−ＱＡＭ変調器または６４−ＱＡＭ変調器を備える。他の態様では、変調器３０２は、２相位相シフトキーイング（ＢＰＳＫ）変調器または４相位相シフトキーイング（ＱＰＳＫ）変調器を備える。
【００４０】
[0047]無線デバイス２０２ａは、シンボルまたはさもなければ変調器３０２からの変調されたビットを時間ドメインに変換（convert）するように構成された変換モジュール（transform module）３０４をさらに備えうる。図３では、変換モジュール３０４は、逆高速フーリエ変換（ＩＦＦＴ）モジュールによってインプリメントされるように例示される。いくつかのインプリメンテーションでは、異なるサイズのデータのユニットを変換する複数の変換モジュール（図示せず）が存在しうる。
【００４１】
[0048]図３では、変調器３０２および変換モジュール３０４は、ＤＳＰ ２２０においてインプリメントされるように例示される。いくつかの態様では、しかしながら、変調器３０２および変換モジュール３０４のうちの１つまたは両方は、プロセッサ２０４、または無線デバイス２０２の別の要素においてインプリメントされる。
【００４２】
[0049]上記に説明されたように、ＤＳＰ ２２０は、送信用のデータユニットを生成するように構成されうる。いくつかの態様では、変調３０２および変換モジュール３０４は、制御情報および複数のデータシンボルを含む複数のフィールドを備えるデータユニットを生成するように構成されうる。制御情報を含むフィールドは、例えば、１つまたは複数のトレーニングフィールド、および１つまたは複数の信号（ＳＩＧ）フィールドを備えうる。トレーニングフィールドの各々は、既知のシーケンスのビットまたはシンボルを含みうる。ＳＩＧフィールドの各々は、データユニットについての情報、例えば、データユニットのデータレートまたは長さの記述を含みうる。
【００４３】
[0050]図３の説明に戻ると、無線デバイス２０２ａは、変換モジュールの出力をアナログ信号に変換するように構成されたデジタル／アナログ変換器３０６をさらに備えうる。例えば、変換モジュール３０６の時間ドメイン出力は、デジタル／アナログ変換器３０６によってベースバンドＯＦＤＭ信号に変換されうる。デジタル／アナログ変換器３０６は、プロセッサ２０４、または無線デバイス２０２の別の要素においてインプリメントされうる。いくつかの態様では、デジタル／アナログ変換器３０６は、トランシーバ２１４またはデータ送信プロセッサにおいてインプリメントされる。
【００４４】
[0051]アナログ信号は、送信機２１０によって無線で送信されうる。アナログ信号は、例えば、フィルタリングされることによって、または中間またはキャリア周波数にアップコンバートされることによって、送信機２１０によって送信される前にさらに処理されうる。図３に例示されるインプリメンテーションでは、送信機２１０は、送信増幅器３０８を含む。送信される前に、アナログ信号は、送信増幅器３０８によって増幅されうる。いくつかの態様では、増幅器３０８は、低雑音増幅器（ＬＮＡ）を備える。
【００４５】
[0052]送信機２１０は、アナログ信号に基づいて、無線信号において１つまたは複数のパケット、フレーム、またはデータユニットを送信するように構成される。データユニットは、例えば、上記に説明されたような変調器３０２および変換モジュール３０４を使用して、プロセッサ２０４および／またはＤＰＳ ２２０を使用して生成されうる。
【００４６】
[0053]図４は、無線通信を受信するために無線デバイス２０２において利用されうる様々なコンポーネントを例示する。図４に例示されるコンポーネントは、例えば、ＯＦＤＭ通信を受信するために使用されうる。いくつかのインプリメンテーションでは、図４に例示されるコンポーネントは、以下により詳細に説明されるように、１つまたは複数のトレーニングフィールドを含む、パケット、フレーム、またはデータユニットを受信するために使用される。例えば、図４に例示されるコンポーネントは、図３に関して上記に説明されたコンポーネントによって送信されるデータユニット受信するために使用されうる。参照しやすいように、図４に例示されるコンポーネントを用いて構成された無線デバイス２０２は、以下では、無線デバイス２０２ｂと称される。
【００４７】
[0054]受信機２１２は、無線信号において１つまたは複数のパケット、フレーム、またはデータユニットを受信するように構成される。
【００４８】
[0055]図４に例示されるインプリメンテーションでは、受信機２１２は、受信増幅器４０１を含む。受信増幅器４０１は、受信機２１２によって受信された無線信号を増幅するように構成されうる。いくつかの態様では、受信機２１２は、自動利得制御（ＡＧＣ）プロシージャを使用して受信増幅器４０１の利得を調整するように構成される。いくつかの態様では、自動利得制御は、利得を調整するために、例えば、受信されたショートトレーニングフィールド（ＳＴＦ）のような、１つまたは複数の受信されたトレーニングフィールドにおける情報を使用する。当業者であれば、ＡＧＣを実行するための方法を理解するであろう。いくつかの態様では、増幅器４０１は、ＬＮＡを備える。
【００４９】
[0056]無線デバイス２０２ｂは、受信機２１２からの増幅された無線信号をそのデジタル表現に変換するように構成されたアナログ／デジタル変換器４０２を備えうる。増幅されることに加えて、無線信号は、例えば、フィルタリングされることによって、または中間またはベースバンド周波数にダウンコンバートされることによって、デジタル／アナログ変換器４０２によって変換される前に処理されうる。アナログ／デジタル変換器４０２は、プロセッサ２０４、または無線デバイス２０２の別の要素においてインプリメントされうる。いくつかの態様では、アナログ／デジタル変換器４０２は、トランシーバ２１４またはデータ受信プロセッサにおいてインプリメントされる。
【００５０】
[0057]無線デバイス２０２ｂは、無線信号の表現を周波数スペクトルに変換するように構成された変換モジュール４０４をさらに備えうる。図４では、変換モジュール４０４は、高速フーリエ変換（ＦＦＴ）モジュールによってインプリメントされるように例示される。いくつかの態様では、変換モジュールは、それが使用するポイントごとのシンボルを識別しうる。
【００５１】
[0058]無線デバイス２０２ｂは、その上でデータユニットが受信されるチャネルの推定を形成し、チャネル推定に基づいてチャネルのある特定の影響（effects）を除去するように構成されたチャネル推定器および等化器４０５をさらに備えうる。例えば、チャネル推定器は、チャネルの関数（function）を近似するように構成されることができ、チャネル等化器は、周波数スペクトルにおけるデータにその関数の逆を適用するように構成されることができる。
【００５２】
[0059]いくつかの態様では、チャネル推定器および等化器４０５は、チャネルを推定するために、例えば、ロングトレーニングフィールド（ＬＴＦ）のような、１つまたは複数の受信されたトレーニングフィールドにおける情報を使用する。チャネル推定は、データユニットの始まりにおいて受信される１つまたは複数のＬＴＦに基づいて形成されうる。このチャネル推定は、その後、１つまたは複数のＬＴＦに続くデータシンボルを等化するために使用されうる。ある特定の時間期間後、またはある特定の数のデータシンボル後、１つまたは複数の追加のＬＴＦが、データユニットにおいて受信されうる。チャネル推定は、更新されることができ、または、新しい推定が、追加のＬＴＦを使用して形成される。この新しいまたは更新されたチャネル推定は、追加のＬＴＦに続くデータシンボルを等化するために使用されうる。いくつかの態様では、新しいまたは更新されたチャネル推定は、追加のＬＴＦに先行するデータシンボルを再等化（re-equalize）するために使用される。当業者であれば、チャネル推定を形成するための方法を理解するであろう。
【００５３】
[0060]無線デバイス２０２ｂは、等化されたデータを復調するように構成された復調器４０６をさらに備えうる。例えば、復調器４０６は、例えば、コンステレーションにおけるシンボルへのビットのマッピングを逆にする（reversing）ことによって、変換モジュール４０４およびチャネル推定器および等化器４０５によって出力されたシンボルから複数のビットを決定しうる。これらビットは、プロセッサ２０４によって処理または評価される、または、ユーザインタフェース２２２に情報を表示するまたはさもなければ出力するために使用されうる。このようにして、データおよび／または情報は、復号されうる。いくつかの態様では、これらビットはコードワードに対応する。一態様では、復調器４０６は、ＱＡＭ（直交振幅変調）復調器、例えば、１６−ＱＡＭ復調器または６４−ＱＡＭ復調器を備える。他の態様では、復調器４０６は、２相位相シフトキーイング（ＢＰＳＫ）復調器または４相位相シフトキーイング（ＱＰＳＫ）復調器を備える。
【００５４】
[0061]図４では、変換モジュール４０４、チャネル推定器および等化器４０５、および復調器４０６は、ＤＰＳ ２２０においてインプリメントされるように例示される。しかしながら、いくつかの態様では、変換モジュール４０４、チャネル推定器および等化器４０５、および復調器４０６のうちの１つまたは複数は、プロセッサ２０４、または無線デバイス２０２の別の要素においてインプリメントされる。
【００５５】
[0062]上記に説明されたように、受信機２１２において受信される無線信号は、１つまたは複数のデータユニットを備える。上記に説明された機能またはコンポーネントを使用して、データユニットまたはその中のデータシンボルは、復号されて評価されるまたはさもなければ評価されるまたは処理されることができる。例えば、プロセッサ２０４および／またはＤＳＰ ２２０は、変換モジュール４０４、チャネル推定器および等化器４０５、および復調器４０６を使用して、データユニットにおけるデータシンボルを復号するために使用されうる。
【００５６】
[0063]ＡＰ １０４とＳＴＡ １０６によって交換されるデータユニットは、上記に説明されたように、制御情報またはデータを含みうる。物理（ＰＨＹ）レイヤにおいて、これらのデータユニットは、物理レイヤプロトコルデータユニット（ＰＰＤＵ）と称されうる。いくつかの態様では、ＰＰＤＵは、パケット、フレーム、または物理レイヤパケットと称されうる。各ＰＰＤＵは、プリアンブルおよびペイロードを備えうる。プリアンブルは、トレーニングフィールドおよびＳＩＧフィールドを含みうる。ペイロードは、例えば、媒体アクセス制御（ＭＡＣ）ヘッダまたは他のレイヤのためのデータ、および／またはユーザデータを備えうる。ペイロードは、１つまたは複数のデータシンボルを使用して送信されうる。ここでのシステム、方法、およびデバイスは、そのピーク対電力比が最小化されたトレーニングフィールドを有するデータユニットを利用しうる。
【００５７】
[0064]無線プロトコルのＩＥＥＥ ８０２．１１ファミリにおいて規定されるような無線通信では、複数の局は、上記に説明されたキャリア検知多重アクセス（ＣＳＭＡ）のような媒体アクセス制御プロトロコルを使用して送信媒体を共有する。アクセスポイントは、ビデオ、オーディオおよび音声を含む異なるクラスのトラフィックを搬送する。アクセスポイントは、トラフィックタイプに基づいて、媒体アクセスパラメータに関して異なる値を割り当てる。しかしながら、アクセスポイントは、アクセスポイントと無線局との間の通信セッションごとに媒体アクセスパラメータの値をカスタマイズしない。したがって、アクセスポイントが通信セッションごとに媒体アクセスパラメータの別個の値を有することは、そうすることで、特に高密度のＷｉｆｉ配置において、望ましくない干渉を低減させ、媒体の再利用を増大させるので、有益である。
【００５８】
[0065]以下に説明されるようなインプリメンテーションでは、アクセスポイント（ＡＰ）は、ＡＰと無線局との間またはＡＰと複数の無線局の各々との間の特定の通信線ションのための媒体アクセスパラメータの値を選択する。１つのインプリメンテーションでは、アクセスポイントは、通信セッションごとに媒体アクセスパラメータの別個の値を提供する。
【００５９】
[0066]図５は、１つのインプリメンテーションによる無線通信の方法のフローチャートである。方法５００は、（図１に示される）アクセスポイント（ＡＰ）１０４のような、無線通信のための装置によって実行されうる。ブロック５０２において、この方法は、アクセスポイントにおいて、アクセスポイントと無線局との間の個々の通信セッションごとに媒体アクセスパラメータの値を選択することを含む。値は、例えば、（図２に示される）プロセッサ２０４によって選択されうる。ブロック５０４に移動し、この方法は、アクセスポイントにおいて、媒体アクセスパラメータの選択された値を使用して無線局と通信することを含む。この通信は、例えば、（図２に示される）トランシーバ２１４によって実行されうる。したがって、方法５００は、ＡＰが通信セッションごとに媒体アクセスパラメータの値を適応的にカスタマイズすることを可能にする。
【００６０】
[0067]ＡＰは、同時に複数の通信セッションを有することができ、各々は、異なる無線局とのものである。ＡＰは、通信セッションごとに媒体アクセスパラメータの別個の値を識別しうる。言い換えれば、媒体アクセスパラメータの値は、セッション単位（per-session basis）で決定されうる。１つのインプリメンテーションでは、ＡＰは、複数の通信セッションのうちの少なくとも２つのための媒体アクセスパラメータの異なる値を識別する。１つのインプリメンテーションでは、各ＡＰは、いくつかの仮想ＡＰとして扱われることができるとともに、各仮想ＡＰは、ＡＰが特定の無線局と確立する１つの通信セッション（またはリンク）に対応する。各仮想ＡＰは、１つまたは複数の媒体アクセスパラメータのそれ自体の設定（値）を有する。ＡＰは、複数の仮想ＡＰの各々について別々に媒体アクセスパラメータの設定を記憶する。
【００６１】
[0068]ＡＰは、特定の無線局に関する任意の媒体アクセスパラメータの値を識別しうる。パラメータは、例えば、送信電力レベルであることができ、これは、ＡＰが信号を送信する電力レベルを指定する。
【００６２】
[0069]パラメータはまた、ＣＣＡしきい値のようなクリアチャネルアセスメント（ＣＣＡ）パラメータでありうる。前述されたように、クリアチャネルアセスメント（ＣＣＡ）は、ノードがその上で送信するように試みる前に、媒体の状態を決定するために使用される。ＣＣＡプロシージャは、ノードの受信機がオンにされ、かつノードがパケットのようなデータユニットを現在送信中でない間に実行される。ＣＣＡしきい値は、ＣＣＡのためのしきい値を指定し、ＣＣＡのセンシティビティ（sensitivity）を調整するために使用されうる。１つのインプリメンテーションでは、ＡＰは、ＡＰがより高い電力レベルで送信しているときに、より低いＣＣＡしきい値（したがって、よりセンシティブなＣＣＡ）を有するともに、ＡＰがより低い電力レベルで送信している場合、より高いＣＣＡしきい値（したがって、よりセンシティブでないＣＣＡ）を有するように構成される。別のインプリメンテーションでは、クリアチャネルアセスメントしきい値の値は、次のうちの１つまたは複数に基づいて選択されうる：アクセスポイントと無線局の間の距離、アクセスポイントと無線局の間の経路損失、通信セッションのためのターゲットデータレート、およびアクセスポイントと無線局の間のトラフィックのタイプ。
【００６３】
[0070]媒体アクセスパラメータはまた、キャリア検知多重アクセス（ＣＳＭＡ）のためのパラメータのうちの１つでありうる。衝突回避（ＣＡ）を利用するＣＳＭＡネットワークでは、送信したいノードは、最初に媒体を検知し、媒体がビジーである場合には、それは、ある時間期間の間、延期する（すなわち、送信しない）。延期の期間は、ランダム化されたバックオフ期間（「競合ウィンドウ」とも称される）、すなわち、送信したいノードが媒体にアクセスするように試みない追加の時間期間によって後続される。バックオフ期間は、同時に媒体にアクセスするように試みる異なるノード間の競合を解決するために使用される。１つのＣＳＭＡパラメータは、競合ウィンドウのための最小の持続時間であり、これは、ノードが特定の通信セッションのために延期しなければならない最小の時間を指定する。別のＣＳＭＡパラメータは、ランダム化されたバックオフ期間の持続時間であり、これは、ノードが特定の通信セッションのために延期しなければならない正確な時間を指定する。１つのインプリメンテーションでは、ＡＰは、通信セッションごとに競合ウィンドウのための異なる最小の持続時間を有しうる。ＡＰは、通信セッションがパケット送信における失敗を経験した場合、競合ウィンドウのための最小の持続時間の値を増大させることを選択しうる。ＡＰは、最小のバックオフ期間を有する通信セッションをサービスすることを選択することができ、したがって、より効率的なスケジューリングを可能にする。
【００６４】
[0071]図６は、１つのインプリメンテーションによる２つの無線局に同時にアクセスするアクセスポイントを有する１つの例示的な例を示す。アクセスポイント６０２は、第１の無線局６０４および第２の無線局６０６に関連付けられる。示されるように、無線局６０４は、無線局６０６よりもアクセスポイント６０２により近く位置する。アクセスポイント６０２は、無線局６０４との第１の通信セッションと、無線局６０６との第２の通信セッションとを有する。第１および第２の通信セッションは、同時にアクティブでありうる。
【００６５】
[0072]いくつかのインプリメンテーションでは、アクセスポイント６０２は、通信セッションのためにＣＣＡしきい値の異なる値を選択する。特に、アクセスポイント６０２は、無線局６０６が無線局６０４よりもより遠い位置に位置するので、無線局６０６との第２の通信セッションのためによりセンシティブなＣＣＡしきい値を選択する。したがって、アクセスポイント６０２は、第２の通信セッションのための第２の値よりも高い、第１の通信セッションのためのＣＣＡしきい値の第１の値を選択する。しかしながら、このインプリメンテーションは、ＣＣＡしきい値に限定されるべきではなく、それは、任意の媒体アクセスパラメータに適応的に適用されうる。したがって、アクセスポイントは、通信セッション単位で任意の媒体アクセスパラメータに関して異なる値を選択しうる。
【００６６】
[0073]図７は、アクセスポイントと局の間の同時セッションの一例を例示する。全般的に７００と指定される第１のセッションは、アクセスポイント７１０およびアクセスポイント７１０に近接した局７２０に関連する。全般的に７５０と指定される第２のセッションがまた、アクセスポイント７６０と無線局７７０との間でアクティブである。一実施形態では、アクセスポイント７１０は、アクセスポイント７１０に近接して位置する無線局７２０に通信するためのトラフィックを有する。第３の局７３０がまた存在し、ＡＰ ７１０、７６０の間に位置するが、いずれのセッション７００、７５０にも参加していない。ＡＰ ７１０と無線局７２０の間の距離が、ＡＰ ７６０と無線局７７０の間の距離よりも著しく少ないので、ＡＰ ７１０と局７２０の間のセッション７００は、ＡＰ ７６０と局７７０の間の通信セッション７５０よりも少ない電力を必要としうる。一般に、ＡＰ ７１０と局７２０の間のこの低電力通信セッション７００は、低電力が、使用中のＣＣＡしきい値を下回るので、ＡＰ ７６０と局７７０の間の通信に影響を及ぼさない。しかしながら、ＡＰ ７１０と７２０の両方が、ＣＣＡしきい値に関する同じ値を利用する場合、ＡＰ ７１０は、ＡＰ ７６０からの送信を検知することができ、したがって、それによって影響される。結果として、ＡＰ ７１０が媒体にアクセスするように試み、ＡＰ ７１０が、ＣＣＡしきい値より上であるとＡＰ ７６０からの送信を検知した場合、ＡＰ ７１０は、ＡＰ ７６０が媒体を使用していることをＡＰ ７１０が検知する限り、セッション７００を遅延する。
【００６７】
[0074]一実施形態では、ＣＣＡしきい値の別個の値が、通信セッション７００、７５０の各々のために選択されうる。よりセンシティブでないＣＣＡしきい値（しきい値に関するより高い値）が、第２の通信セッション７５０よりも、第１の通信セッション７００のために選択されることができ、選択は、ＡＰ ７１０と無線局７２０との間よりも、ＡＰ ７６０と無線局７７０の間の著しくより大きい距離に基づく。ＡＰ ７１０がよりセンシティブでない（より高い）ＣＣＡしきい値を利用しうるので、ＡＰ ７１０は、セッション７５０によって影響されず、したがって、ＡＰ ７６０と局７７０の間の送信を遅延しないことがありうる。したがって、通信セッション７００、７５０ごとに異なるＣＣＡしきい値を有することは、２つのＡＰ ７１０、７６０が、互いに干渉することなく同時に送信することを可能にする。
【００６８】
[0075]図８は、アクセスポイントと同時に通信する複数の局を有する別の実施形態を例示する。全般的に８００と指定される第１の通信セッションは、ＡＰ ８１０および局８３０に関連する。ＡＰ ８１０はまた、局８２０との通信セッション８０１に関与する。全般的に８５０と指定される第３の通信セッションは、ＡＰ ８６０、および局８７０からのアップリンク送信に関連する。無線局８７０は、アクセスポイント８６０にアップリンク送信を介して通信している。同時に、アクセスポイント８１０は、無線局８３０にパケットを送りたい。しかしながら、ＡＰ ８１０がＣＣＡを実施するにつれて、それは、セッション８５０のトラフィックを検知することができ、したがって、無線局８７０から生じる干渉は、ＡＰ ８１０から局８３０へのパケット送信を阻止することができる。ＡＰ ８１０と局８３０の間の試みられた通信８３５は、点線によって示される。ＡＰ ８１０によって検知された干渉は、その後、再び通信を試みる前に待機するようにＡＰ ８１０のためのバックオフ期間を促しうる。ＡＰ ８１０が、すべての通信セッションについて、競合ウィンドウの最小の持続時間（ＣＷｍｉｎ）のために単一の値を使用し、通信８３５がセッション８５０からの干渉により失敗した場合には、ＡＰ ８１０は、競合ウィンドウの最小の持続時間の値を増大させうる。結果として、ＡＰ ８１０は、再び送信できるようになる前に待機時間を有しうる。
【００６９】
[0076]一実施形態では、ＡＰ ８１０は、局８３０との第１の通信セッション８００と、局８２０との第２の通信セッション８０１とを有しうる。ＡＰ ８０２は、通信セッション８００、８０１の各々について競合ウィンドウの最小の持続時間のための別個のＣＷｍｉｎ値を個別に選択しうる。ＡＰ ８１０から局８３０へのパケット送信８３５が、セッション８５０に関する媒体の使用により失敗する一方で、局８２０は、局８１２からの送信によって影響されない。したがって、ＡＰ ８１０は、局８３０との通信セッション８００のための競合ウィンドウの最小の持続時間の値のみを増大させる。結果として、通信セッション８００、８０１ごとに競合ウィンドウの最小の持続時間の別個の値を有することで、ＡＰ ８１０は、セッション８００の失敗した送信８３５によって引き起こされるバックオフおよびＣＷｍｉｎによって影響されることなく、セッション８０１を継続しうる。したがって、このような実施形態は、より効率的なユーザ通信スケジューリングを可能にしうる。
【００７０】
[0077]ここで使用される場合、「決定すること」という用語は、幅広い動作を包含する。例えば、「決定すること」は、算出すること（calculating）、計算すること（computing）、処理すること（processing）、導出すること（deriving）、調査すること（investigating）、ルックアップすること（looking up）（例えば、表、データベース、または別のデータ構造をルックアップすること）、確定すること（ascertaining）などを含みうる。また、「決定すること」は、受信すること（例えば、情報を受信すること）、アクセスすること（例えば、メモリにおけるデータにアクセスすること）などを含みうる。また、「決定すること」は、解決すること、選択すること、選ぶこと、確立することなどを含みうる。さらに、ここで使用される場合、「チャネル幅」は、ある特定の態様において、帯域幅を包含することができ、または帯域幅とも称されることができる。
【００７１】
[0078]ここで使用される場合、アイテムのリスト「のうちの少なくとも１つ」というフレーズは、単一の構成要素（members）を含む、それらのアイテムの任意の組み合わせに関連する。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーするように意図される。
【００７２】
[0079]上記に説明された方法の様々な動作は、様々なハードウェアおよび／またはソフトウェアの（１つまたは複数の）コンポーネント、回路、および／または（１つまたは複数の）モジュールなどの、これら動作を実行することが可能な任意の適切な手段によって実行されうる。一般に、図面において例示された任意の動作は、これら動作を実行することが可能な対応する機能的な手段によって実行されうる。
【００７３】
[0080]本開示に関して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタロジック、個別ハードウェアコンポーネント、あるいはここで説明された機能を実行するように設計されたこれらの任意の組み合わせを用いてインプリメントまたは実行されうる。汎用プロセッサは、マイクロプロセッサでありうるが、代替として、このプロセッサは、任意の商業的に利用可能なプロセッサ、コントローラ、マイクロコントローラ、またはステートマシン（state machine）でありうる。プロセッサはまた、コンピューティングデバイスの組み合わせ、例えば、ＤＳＰとマイクロプロセッサの組み合わせ、複数のマイクロプロセッサ、ＤＳＰコアと連携した１つまたは複数のマイクロプロセッサ、あるいはその他任意のこのような構成としてインプリメントされうる。
【００７４】
[0081]１つまたは複数の態様では、説明された機能は、ハードウェア、ソフトウェア、ファームウェア、またはこれらの任意の組み合わせでインプリメントされうる。ソフトウェアでインプリメントされる場合、これら機能は、コンピュータ可読媒体上で、１つまたは複数の命令またはコードとして送信または記憶されうる。コンピュータ可読媒体は、１つの場所から別の場所へのコンピュータプログラムの転送を容易にする任意の媒体を含む通信媒体とコンピュータ記憶媒体との両方を含む。記憶媒体は、コンピュータによってアクセスされうる任意の利用可能な媒体でありうる。限定ではなく例として、このようなコンピュータ可読媒体は、ＲＡＭ、ＲＯＭ、ＥＥＰＲＯＭ（登録商標）、ＣＤ−ＲＯＭまたは他の光ディスク記憶装置、磁気ディスク記憶装置またはその他の磁気記憶デバイス、あるいは、データ構造または命令の形式で所望のプログラムコードを記憶または搬送するために使用可能であり、かつコンピュータによってアクセスされうるその他任意の媒体を備えうる。また、任意の接続は、コンピュータ可読媒体と厳密には称される。例えば、ソフトウェアが、同軸ケーブル、光ファイバーケーブル、ツイストペア、デジタル加入者回線（ＤＳＬ）、または赤外線、無線、およびマイクロ波のような無線技術を使用して、ウェブサイト、サーバ、またはその他の遠隔ソースから送信される場合には、この同軸ケーブル、光ファイバーケーブル、ツイストペア、ＤＳＬ、または赤外線、無線、およびマイクロ波のような無線技術は、媒体の定義に含まれる。ここで使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスク、およびブルーレイ（登録商標）ディスクを含み、ここでディスク（disks）は、通常磁気的にデータを再生し、一方ディスク（discs）は、レーザーを用いて光学的にデータを再生する。したがって、いくつかの態様では、コンピュータ可読媒体は、非一時的なコンピュータ可読媒体（例えば、有形媒体）を備えうる。加えて、いくつかの態様では、コンピュータ可読媒体は、一時的なコンピュータ可読媒体（例えば、信号）を備えうる。上記の組み合わせもまた、コンピュータ可読媒体の範囲内に含まれるべきである。
【００７５】
[0082]ここに開示された方法は、説明された方法を達成するための１つまたは複数のステップまたは動作（action）を備える。方法のステップおよび／または動作は、特許請求の範囲から逸脱することなく互いに置き換えられうる。言い換えれば、ステップまたは動作の特定の順序が明記されない限り、特定のステップおよび／または動作の順序および／または使用は、特許請求の範囲から逸脱することなく修正されうる。
【００７６】
[0083]説明された機能は、ハードウェア、ソフトウェア、ファームウェア、またはこれらの任意の組み合わせでインプリメントされうる。ソフトウェアでインプリメントされる場合、これら機能は、コンピュータ可読媒体上で、１つまたは複数の命令として記憶されうる。記憶媒体は、コンピュータによってアクセスされうる任意の利用可能な媒体でありうる。限定ではなく例として、このようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置またはその他の磁気記憶デバイス、あるいは、データ構造または命令の形式で所望のプログラムコードを記憶または搬送するために使用可能であり、かつコンピュータによってアクセスされうるその他任意の媒体を備えうる。ここで使用される場合、ディスク（disk）およびディスク（disc）は、コンパクトディスク（ＣＤ）、レーザーディスク、光ディスク、デジタル多目的ディスク（ＤＶＤ）、フロッピーディスク、およびブルーレイ（登録商標）ディスクを含み、ここでディスク（disks）は、通常磁気的にデータを再生し、一方ディスク（discs）は、レーザーを用いて光学的にデータを再生する。
【００７７】
[0084]したがって、ある特定の態様は、ここで提示された動作を実行するためのコンピュータプログラム製品を備えうる。例えば、このようなコンピュータプログラム製品は、その上に命令が記憶（および／または符号化）されたコンピュータ可読媒体を備えることができ、これら命令は、ここで説明された動作を実行するために１つまたは複数のプロセッサによって実行可能である。ある特定の態様に関して、コンピュータプログラム製品は、パッケージング材料を含みうる。
【００７８】
[0085]ソフトウェアまたは命令はまた、送信媒体上で送信されうる。例えば、ソフトウェアが、同軸ケーブル、光ファイバーケーブル、ツイストペア、デジタル加入者回線（ＤＳＬ）、または赤外線、無線、およびマイクロ波のような無線技術を使用して、ウェブサイト、サーバ、またはその他の遠隔ソースから送信される場合には、この同軸ケーブル、光ファイバーケーブル、ツイストペア、ＤＳＬ、または赤外線、無線、およびマイクロ波のような無線技術は、送信媒体の定義に含まれる。
【００７９】
[0086]さらに、ここで説明された方法および技法を実行するためのモジュールおよび／または他の適切な手段は、適宜、ユーザ端末および／または基地局によってダウンロードされるおよび／またはさもなければ取得されうることが理解されるべきである。例えば、このようなデバイスは、ここで説明された方法を実行するための手段の転送を容易にするためにサーバに結合されうる。代替として、ここで説明された様々な方法は、ユーザ端末および／または基地局が、デバイスに記憶手段を結合または提供する際に様々な方法を取得しうるように、記憶手段（例えば、ＲＡＭ、ＲＯＭ、コンパクトディスク（ＣＤ）またはフロッピーディスクのような物理記憶媒体など）を介して提供されうる。さらに、ここで説明された方法および技法をデバイスに提供するためのその他任意の適切な技法が、利用されうる。
【００８０】
[0087]特許請求の範囲は、上記に例示されたとおりの構成およびコンポーネントに限定されないことが理解されるべきである。様々な修正、変更、および変形が、上記に説明された方法および装置の配置、動作および詳細において、特許請求の範囲から逸脱することなく行われうる。
【００８１】
[0088]  前述は、本開示の態様に向けられている一方で、本開示のその他および更なる態様が、これらの基本的な範囲から逸脱することなく考案されることができ、その範囲は、以下に示す特許請求の範囲によって決定される。
【図１】
2016507178.tif 000003
【図２】
2016507178.tif 000004
【図３】
2016507178.tif 000005
【図４】
2016507178.tif 000006
【図５】
2016507178.tif 000007
【図６】
2016507178.tif 000008
【図７】
2016507178.tif 000009
【図８】
2016507178.tif 000010
【国際調査報告】
2016507178.tif 000011
2016507178.tif 000012
2016507178.tif 000013